(57)【要約】【課題】  サーバーのケースの提供。【解決手段】  右ケース前方が左に折り曲げられて前面板が形成され、前面板に開孔が開設され、左ケースが右ケースを被覆し、左ケースの前方が右に折り曲げられて前面板に対応する組付け板が形成され、組付け板に開孔に対応する穿孔が開設され、左ケースが遮蔽板を具え、該遮蔽板は着脱自在に組付け板に組付けられ並びに穿孔と開孔を閉じる。使用時に、右ケースの前面板を取り外さずに、直接着脱式遮蔽板を組付けて穿孔と開孔を隔離するか、或いは着脱式遮蔽板を取り外して穿孔と開孔を開放でき、モジュール化された設計により共用性を具備し、これにより部品数と製造コストを減らし、また着脱を容易とし作業時間を節約する。【選択図】        図３
2006048623.tif 000002
【特許請求の範囲】
【請求項１】
サーバーのケースにおいて、該ケースは右ケースと左ケースを具え、
該右ケースは内部に収容空間を具え、該右ケースの前方が左に折り曲げられて前面板が形成され、該前面板に開孔が開設され、
該左ケースは該右ケースを被覆し並びに該収容空間を閉じ、且つ左ケースの前方が右に折り曲げられて組付け板が形成され、該組付け板が右ケースの前面板の後方に対応して位置し、該組付け板に穿孔が開設されて該穿孔が該右ケースの該前面板の該開孔に対応し、該左ケースに着脱式遮蔽片が設けられ、該着脱式遮蔽片が着脱自在に左ケースの組付け板に組付けられ並びに左ケースの穿孔と右ケースの開孔に対応して遮蔽することを特徴とする、サーバーのケース。
【請求項２】
請求項１記載のサーバーのケースにおいて、インタフェースカードが左ケース内に挿入され、且つ該インタフェースカードの前方に少なくとも一つの接続ポートがあって、該接続ポートが組付け板の穿孔に対応することを特徴とする、サーバーのケース。
【請求項３】
請求項１記載のサーバーのケースにおいて、着脱式遮蔽片がネジで組付け板に組付けられることを特徴とする、サーバーのケース。
【請求項４】
請求項３記載のサーバーのケースにおいて、着脱式遮蔽片の上端が折り曲げられて凸片が形成され、該凸片が組付け板の上を被覆し、該凸片が凹孔を具え、該組付け板の上端に該凹孔に対応するネジ孔が設けられ、ネジが該凹孔を挿通し並びに該ネジ孔に螺合されることで、着脱式遮蔽片が組付け板に組付けられることを特徴とする、サーバーのケース。
【請求項５】
請求項４記載のサーバーのケースにおいて、左ケースの組付け板の下端に位置決め孔が設けられ、着脱式遮蔽片の下端に下向きに位置決め片が凸設され、該位置決め片が該位置決め孔内に挿入され位置決めされることを特徴とする、サーバーのケース。
【発明の詳細な説明】
【技術分野】
【０００１】
本発明は一種のインタフェースカードの取付構造に係り、特にサーバーのケースに適用される構造に関する。
【背景技術】
【０００２】
一般にサーバーは、コンピュータと同様に、内部に複数の電子装置、例えばマザーボード、中央処理装置、チップ、冷却器等が取付られている。
【０００３】
このほか、一般にサーバーのマザーボードには複数のインタフェースカードが挿入され、インタフェースカードには対外接続用の接続ポートが組付けられている。
【０００４】
図１は周知のサーバーの立体図一であり、それにはサーバー９１が表示され、且つこのサーバー９１の前方の前面板９２が組付けられている。図２は周知のサーバーの立体図二であり、それに示されるサーバー９１は異なる前面板９３を具え、且つこの前面板９３に開孔９３１が開設されている。
【０００５】
図１、２から分かるように、使用者がサーバー９１内に、対外接続可能な接続ポート９４１を具えたインタフェースカード９４を挿入し、並びに使用する時は、使用者は図１に示される開孔の無い前面板９２を取り外した後に、図２に示されるような開孔９３１を具えた設計の前面板９３に交換しなければ、インタフェースカード９４の接続ポート９４１を外部に露出させられない。
【０００６】
ゆえに、伝統的なサーバー９１にインタフェースカード９４を挿入したい時は、その前面板９２、９３を交換しなければならず、且つ前面板９２、９３は一般にサーバー９１のケース９１１に組付けられているため、交換と同時に一体にサーバー９１のケース９１１を取り外さねばならず、このため部品数が増加するだけでなく、着脱が容易でなく、作業にかかる時間の浪費が形成され、理想的とは言えない。
【発明の開示】
【発明が解決しようとする課題】
【０００７】
本発明は一種のサーバーのケースを提供することを目的とし、それは右ケース及び左ケースを具えている。そのうち、右ケースの内部には収容空間が凹設され、且つ右ケースの前方が左に折り曲げられて前面板が形成され、前面板に開孔が開設されている。
【０００８】
このほか、左ケースは右ケースを被覆し並びにその収容空間を閉じ、並びに左ケースの前方が右向きに折り曲げられて組付け板が形成され、この組付け板は右ケースの前面板の後方に対応し位置し、また、組付け板に穿孔が開設され、この穿孔が右ケースの開孔に対応する。
【０００９】
このほか、左ケースは着脱式遮蔽板を具え、それは着脱可能な方式で左ケースの組付け板に組付けられ、且つこの着脱式遮蔽板は左ケースの穿孔、及び右ケースの開孔を閉じることができる。
【００１０】
以上から分かるように、右ケースの前面板を取り外さずに、組付け板の穿孔を右ケースの開孔に対応させ、並びに左ケースの組付け板の着脱式遮蔽板を利用し穿孔と開孔を隔離するか、或いは直接着脱式遮蔽板を取り外して穿孔と開孔を開放することができる。即ち、本発明はモジュール化の設計方式により共用性を具え、並びに部品数を減らし製造コストを減らし、また着脱が容易で作業時間を節約することができる。
【００１１】
上述の着脱式遮蔽板はその上端が折り曲げられて凸片が形成され、該凸片は組付け板に対応してそれを被覆し、且つこの凸片は凹孔を具え、また組付け板の上端にネジ孔があり、該ネジ孔は着脱式遮蔽板の凹孔に対応してネジが該凹孔を通り該ネジ孔内に螺合され、これにより着脱式遮蔽板が組付け板に螺子止めされる。
【００１２】
また、上述の左ケースの組付け板は、左ケースの前方が右向きに折り曲げられて左ケースに一体に形成されるほか、リベット方式で左ケースに組付けられることもできる。
【課題を解決するための手段】
【００１３】
請求項１の発明は、サーバーのケースにおいて、該ケースは右ケースと左ケースを具え、
該右ケースは内部に収容空間を具え、該右ケースの前方が左に折り曲げられて前面板が形成され、該前面板に開孔が開設され、
該左ケースは該右ケースを被覆し並びに該収容空間を閉じ、且つ左ケースの前方が右に折り曲げられて組付け板が形成され、該組付け板が右ケースの前面板の後方に対応して位置し、該組付け板に穿孔が開設されて該穿孔が該右ケースの該前面板の該開孔に対応し、該左ケースに着脱式遮蔽片が設けられ、該着脱式遮蔽片が着脱自在に左ケースの組付け板に組付けられ並びに左ケースの穿孔と右ケースの開孔に対応して遮蔽することを特徴とする、サーバーのケースとしている。
請求項２の発明は、請求項１記載のサーバーのケースにおいて、インタフェースカードが左ケース内に挿入され、且つ該インタフェースカードの前方に少なくとも一つの接続ポートがあって、該接続ポートが組付け板の穿孔に対応することを特徴とする、サーバーのケースとしている。
請求項３の発明は、請求項１記載のサーバーのケースにおいて、着脱式遮蔽片がネジで組付け板に組付けられることを特徴とする、サーバーのケースとしている。
請求項４の発明は、請求項３記載のサーバーのケースにおいて、着脱式遮蔽片の上端が折り曲げられて凸片が形成され、該凸片が組付け板の上を被覆し、該凸片が凹孔を具え、該組付け板の上端に該凹孔に対応するネジ孔が設けられ、ネジが該凹孔を挿通し並びに該ネジ孔に螺合されることで、着脱式遮蔽片が組付け板に組付けられることを特徴とする、サーバーのケースとしている。
請求項５の発明は、請求項４記載のサーバーのケースにおいて、左ケースの組付け板の下端に位置決め孔が設けられ、着脱式遮蔽片の下端に下向きに位置決め片が凸設され、該位置決め片が該位置決め孔内に挿入され位置決めされることを特徴とする、サーバーのケースとしている。
【発明の効果】
【００１４】
本発明によると、サーバーのケースは右ケースの前面板を取り外さずに、組付け板の穿孔を右ケースの開孔に対応させ、並びに左ケースの組付け板の着脱式遮蔽板を利用し穿孔と開孔を隔離するか、或いは直接着脱式遮蔽板を取り外して穿孔と開孔を開放することができ、即ち、本発明はモジュール化の設計方式により共用性を具え、並びに部品数を減らし製造コストを減らし、また着脱が容易で作業時間を節約することができる。
【発明を実施するための最良の形態】
【００１５】
図３は本発明の立体分解図、図４は本発明のインタフェースカード未取付の実施状態表示図であり、ナイフエッジ型サーバーの右ケース１、左ケース２が示される。本実施例中、このナイフエッジ型サーバーは一つのサーバーマシン（図示せず）内に直立挿入される。
【００１６】
上述の右ケース１の内部には収容空間１１が凹設され、この収容空間１１内に複数の電子装置１４、例えばチップ、中央処理装置等が収容され、また右ケース１の前方が左に折り曲げられて前面板１２が形成され、前面板１２に開孔１２１が開設され、並びに前面板１２の前方に装飾板１３が組付けられる。
【００１７】
このほか、上述の左ケース２は直接右ケース１を被覆し、並びに右ケース１の収容空間１１を閉じ、左ケース２の前方が右向きに折り曲げられて組付け板２１が形成されている。本実施例では、組付け板２１はリベット方式で左ケース２に組付けられ、且つ組付け板２１は右ケース１の前面板１２の後方に平行に並びにそれと対応する位置とされ、並びに組付け板２１に穿孔２１１が開設され、この穿孔２１１は右ケース１の開孔１２１に対応する。
【００１８】
このほか、左ケース２に着脱式遮蔽片２２が設けられ、この着脱式遮蔽片２２は着脱式の設計方式で左ケース２の組付け板２１に組付けられ、並びにこの着脱式遮蔽片２２は左ケース２の穿孔２１１と右ケース１の開孔１２１に対応しそれを遮蔽する。
【００１９】
本実施例中、左ケース２の組付け板２１に組付けられた着脱式遮蔽片２２は、ネジ２２１で直接組付け板２１に組付けられ、その組付け方式は、着脱式遮蔽片２２の上端２２２が折り曲げられて組付け板２１の上を被覆する凸片２２３が形成され、且つ凸片２２３の一側端に内向きに凹孔２２４が凹設され、組付け板２１の上端２１２にネジ孔２１３が開設され、このネジ孔２１３が凹孔２２４に対応するものとされる。
【００２０】
このほか、左ケース２の組付け板２１の下端２１４に貫通する位置決め孔２１５が設けられ、且つ着脱式遮蔽片２２の下端２２５に下向きに位置決め片２２６が凸設されている。組付け時には、着脱式遮蔽片２２の下端２２５の位置決め片２２６が左ケース２の組付け板２１の位置決め孔２１５に対応させられて位置決め孔２１５内に挿入され、その後、ネジ２２１が凹孔２２４に通され並びにネジ孔２１３内に螺合され、これにより着脱式遮蔽片２２が組付け板２１に組付けられる。
【００２１】
図４に示されるように、右ケース１の開孔１２１と左ケース２の穿孔２１１は組付け板２１に組付けられた着脱式遮蔽片２２により直接隔離されていることに注意されたい。
【００２２】
図３、及び図５の本発明のインタフェースカード取付の実施状態を参照されたい。使用者が左ケース２内にインタフェースカード３を挿入したい時には、まず左ケース２を右ケース１より直接取り外し、その後、着脱式遮蔽片２２上のネジ２２１を回して緩め、並びに着脱式遮蔽片２２を取り外した後、インタフェースカード３を左ケース２内に取り付ける。この時、インタフェースカード３の前方の二つの接続ポート３１は左ケース２の穿孔２１１と右ケース１の開孔１２１に対応し外部に露出し、並びにこれにより接続ポート３１の対外接続作用を行なえる。
【００２３】
これにより、左ケース２の組付け板２１に直接着脱式遮蔽片２２を螺子止めする設計方式により、モジュール化した設計を形成して異なるナイフエッジ型サーバーの間の共用性を具えるものとし、且つ右ケース１の前面板１２と装飾板１３に伝統的な設計のように着脱を行なう必要がなく、直接左ケース２の組付け板２１の着脱式遮蔽片２２の組付けにより穿孔２１１と開孔１２１間の隔離を行なうか、或いは着脱式遮蔽片２２の取り外しにより穿孔２１１と開孔１２１を開放し、並びにこれによりインタフェースカード３の接続ポート３１を外部に露出させることができ、ゆえに上述の構造を利用することで伝統的な技術における前面板９２、９３（図１、２参照）を交換する複雑性を回避でき、即ち以上の構造は確実に部品数と製造コストを減らせ、且つ着脱が容易で、作業時間を減らすことができる。
【００２４】
以上の実施例は説明のために提示したものであり、本発明の範囲を限定するものではなく、本発明に基づきなしうる細部の修飾或いは改変は、いずれも本発明の請求範囲に属するものとする。
【図面の簡単な説明】
【００２５】
【図１】周知のサーバーの立体図一である。
【図２】周知のサーバーの立体図二である。
【図３】本発明の立体分解図である。
【図４】本発明のインタフェースカード未取付の実施状態表示図である。
【図５】本発明のインタフェースカード取付の実施状態表示図である。
【符号の説明】
【００２６】
１  右ケース        １１  収容空間          １２  前面板
１２１  開孔        １３  装飾板            １４  電子装置
２  左ケース        ２１  組付け板          ２１１  穿孔
２１２  上端        ２１３  ネジ孔          ２１４  下端
２１５  位置決め孔  ２２  着脱式遮蔽片      ２２１  ネジ
２２２  上端        ２２３  凸片            ２２４  凹孔
２２５  下端        ２２６  位置決め片      ３  インタフェースカード
３１  接続ポート    ９１  サーバー          ９１１  ケース
９２  前面板        ９３  前面板            ９３１  開孔
９４  インタフェースカード                  ９４１  接続ポート
【図１】
2006048623.tif 000003
【図２】
2006048623.tif 000004
【図３】
2006048623.tif 000005
【図４】
2006048623.tif 000006
【図５】
2006048623.tif 000007